(57)【要約】      （修正有）【課題】帽子の背面には発光可能の導光ストリップが設けられており、導光ストリップからの光線が透光ストリップに開設された貫通孔を通過して外部に射出すると、予定の形状が映し出される発光機能付き帽子を提供する。【解決手段】本体１０と、電子回路部材２０と、導光ストリップ３０と、透光ストリップとを含み、本体１０は、その前端には帽子ツバ１１が設けられており、その内部には収容空間が形成され、電子回路部材２０は、回路板２１と、少なくとも二つの発光子２２と、を含み、回路板２１が複数の電線を介して発光子２２と電気的に連接し、導光ストリップ３０は、透明なものであり、その底側に近接している箇所には発光子２２を設けるための剖開溝３１が開設され、導光ストリップ３０が本体１０の帽子ツバ１１の反対側に設けられ、透光ストリップは、導光ストリップ３０の少なくとも一面に設ける。【選択図】図１
0003148723.tif 000002
【実用新案登録請求の範囲】
【請求項１】
本体と、電子回路部材と、導光ストリップと、透光ストリップと、を含む発光機能付き帽子において、
前記本体は、その前端には帽子ツバが設けられており、その内部には収容空間が形成されており、前記収容空間は、下方へ開口しており、その開口の周縁には仕切板が縫われており、前記仕切板と前記本体との間には遮り空間が形成されており、
前記電子回路部材は、回路板と、少なくとも二つの発光子と、を含み、前記回路板が複数の電線を介して前記発光子と電気的に連接しており、前記回路板には、電線を介して前記回路板と電気的に連接しているスイッチと、複数の電池と、が設けられており、
前記導光ストリップは、透明なものであり、その底側に近接している箇所には前記発光子を設けるための剖開溝が開設されており、前記発光子が点灯されているときに、前記導光ストリップの全部の表面が明るくなり、前記導光ストリップが前記本体の前記帽子ツバの反対側に設けられており、
前記透光ストリップは、前記導光ストリップの少なくとも一面に設けられており、前記導光ストリップをカバーする前記透光ストリップに開設され予定の形状を有する貫通孔により、前記導光ストリップからの光線が前記貫通孔を透過し前記予定の形状を映し出すことを特徴とする、発光機能付き帽子。
【請求項２】
前記本体の前記帽子ツバの反対側には調整バンドが設けられており、前記調整バンドの外面には前記導光ストリップが設けられており、前記導光ストリップの外面には前記透光ストリップが設けられていることを特徴とする、請求項１に記載の発光機能付き帽子。
【請求項３】
前記透光ストリップに開設された複数の貫通孔は、それぞれ発光ブロックになることを特徴とする、請求項１に記載の発光機能付き帽子。
【考案の詳細な説明】
【技術分野】
【０００１】
本考案は、帽子に関し、特に、帽子の背面には発光子を有する導光ストリップが設けられており、導光ストリップを覆う透光ストリップには予定の形状を有する貫通孔が複数に開設されており、導光ストリップからの光線が貫通孔を通過して外部に射出すると、予定の形状が映し出される発光機能付き帽子に関するものである。
【背景技術】
【０００２】
従来、帽子の使用は極めて広汎であり、特殊の用途に使用される帽子を除くと、帽子が陽光を遮り、雨水とユーザのヘッドとの接触を防止し、又はユーザの外見を装飾する用途に使用され、なお、帽子に発光子を付けることによりユーザの前方の道を照明するものも市販されている。
【０００３】
しかしながら、従来の発光機能付き帽子によれば、次のような欠点があった。
（１）発光子が帽子の前面に設けられるだけであり、ユーザの後方にいる人はユーザの存在を知ることができない。
【０００４】
（２）装飾の用途に使用される従来の帽子は、夜間に装飾の効果が失うので、夜間にそのような帽子を被りたいユーザが少ない。
【考案の開示】
【考案が解決しようとする課題】
【０００５】
本考案の主な目的は、帽子の背面には発光子を有する導光ストリップが設けられており、導光ストリップを覆う透光ストリップには予定の形状を有する貫通孔が複数に開設されており、導光ストリップからの光線が貫通孔を通過して外部に射出すると、予定の形状が映し出される発光機能付き帽子を提供することにある。
【課題を解決するための手段】
【０００６】
本考案の請求項１に記載の発光機能付き帽子によると、本体と、電子回路部材と、導光ストリップと、透光ストリップと、を含む発光機能付き帽子において、前記本体は、その前端には帽子ツバが設けられており、その内部には収容空間が形成されており、前記収容空間は、下方へ開口しており、その開口の周縁には仕切板が縫われており、前記仕切板と前記本体との間には遮り空間が形成されており、前記電子回路部材は、回路板と、少なくとも二つの発光子と、を含み、前記回路板が複数の電線を介して前記発光子と電気的に連接しており、前記回路板には、電線を介して前記回路板と電気的に連接しているスイッチと、複数の電池と、が設けられており、前記導光ストリップは、透明なものであり、その底側に近接している箇所には前記発光子を設けるための剖開溝が開設されており、前記発光子が点灯されているときに、前記導光ストリップの全部の表面が明るくなり、前記導光ストリップが前記本体の前記帽子ツバの反対側に設けられており、前記透光ストリップは、前記導光ストリップの少なくとも一面に設けられており、前記導光ストリップをカバーする前記透光ストリップに開設され予定の形状を有する貫通孔により、前記導光ストリップからの光線が前記貫通孔を透過し前記予定の形状を映し出すことを特徴とする発光機能付き帽子である。
【０００７】
本考案の請求項２に記載の発光機能付き帽子によると、前記本体の前記帽子ツバの反対側には調整バンドが設けられており、前記調整バンドの外面には前記導光ストリップが設けられており、前記導光ストリップの外面には前記透光ストリップが設けられている。
【０００８】
本考案の請求項３に記載の発光機能付き帽子によると、前記透光ストリップに開設された複数の貫通孔はそれぞれ発光ブロックになる。
【考案の効果】
【０００９】
本考案の発光機能付き帽子によれば、次のような効果がある。
（１）発光子が帽子の背面に設けられるので、ユーザの後方にいる人はユーザの存在を知ることができ、夜間の安全性が増加する。
【００１０】
（２）夜間にも装飾の効果を有するので、夜間にこのような帽子を被りたいユーザが増加する。
【考案を実施するための最良の形態】
【００１１】
以下、本考案の実施の形態を図面に基づいて説明する。
【実施例１】
【００１２】
まず、図１乃至図４を参照する。本考案に係る発光機能付き帽子は、本体１０と、電子回路部材２０と、導光ストリップ３０と、透光ストリップ４０と、を含む。
【００１３】
前記本体１０は、天然繊維又は人造繊維の製品であり、その前端には帽子ツバ１１が設けられており、その内部には収容空間１２が形成されており、前記収容空間１２は、下方へ開口しており、その開口１３の周縁には仕切板１４が縫われており、前記仕切板１４と前記本体１０との間には遮り空間１５が形成されており、前記本体１０の帽子ツバ１１の反対側には調整バンド１６が設けられており、前記調整バンド１６により前記開口１３の大きさを調整することができる。
【００１４】
前記電子回路部材２０は、回路板２１と、少なくとも二つの発光子２２と、を含み、前記回路板２１が複数の電線２５を介して前記発光子２２と電気的に連接しており、前記回路板２１には、電線２６を介して前記回路板２１と電気的に連接しているスイッチ２３と、複数の電池２４と、が設けられている。
【００１５】
前記導光ストリップ３０は、透明なものであり、その底側に近接している箇所には前記発光子２２を設けるための剖開溝３１が開設されており、前記発光子２２が点灯されているときに、前記導光ストリップ３０の全部の表面が明るくなる。
【００１６】
前記透光ストリップ４０は、前記導光ストリップ３０の少なくとも一面に設けられており、前記導光ストリップ３０をカバーする前記透光ストリップ４０に開設され予定の形状を有する貫通孔４１により、前記導光ストリップ３０からの光線が前記貫通孔４１を透過し前記予定の形状を映し出す。前記調整バンド１６の外面には前記導光ストリップ３０が設けられており、前記導光ストリップ３０の外面には前記透光ストリップ４０が設けられている。
【００１７】
前記遮り空間１５には覆い構造５０が設けられており、前記覆い構造５０の一辺が前記本体１０に固定されており、その固定箇所では、覆い構造５０には第一タッチファスナー５１が設けられており、前記本体１０には第二タッチファスナー５２が設けられており、前記覆い構造５０が回路板２１を覆った後、第一タッチファスナー５１に第二タッチファスナー５２を粘着すると、回路板２１が前記遮り空間１５に固定されるようになる。
【００１８】
前記本体１０の帽子ツバ１１の内部に設けられた前記スイッチ２３を押圧すると、スイッチ２３の押圧状態によって、発光子２２が点灯し、点滅し、又は発光しなくなる。
【実施例２】
【００１９】
次に、図５を参照する。前記本体１０の前端には帽子ツバ１１が設けられており、前記本体１０の帽子ツバ１１の反対側には調整バンド１６が設けられており、前記調整バンド１６の外面には前記導光ストリップ３０が設けられており、前記導光ストリップ３０の外面には前記透光ストリップ４０が設けられている。前記透光ストリップ４０には模様（例えば弧線や商標など）を有する貫通孔４１が複数に開設されており、前記導光ストリップ３０が発光しているときに、ユーザの後方にいる人がこれらの模様を見ることができる。
【実施例３】
【００２０】
次に、図６を参照する。前記本体１０の前端には帽子ツバ１１が設けられており、前記本体１０の帽子ツバ１１の反対側には調整バンド１６が設けられており、前記調整バンド１６の外面には前記導光ストリップ３０が設けられており、前記導光ストリップ３０の外面には前記透光ストリップ４０が設けられている。前記透光ストリップ４０には円形の貫通孔４１が複数に開設されており、前記導光ストリップ３０が発光しているときに、ユーザの後方にいる人がこれらの光点を見ることができる。
【００２１】
次に、図７を参照する。図７は本考案に係る発光機能付き帽子の回路図である。本考案に係る制御回路は集積回路２１１を含み、集積回路２１１は、電線２５、２６を介して、スイッチ２３、複数の発光子２２と少なくとも一つの電池２４と電気的に連接しており、スイッチ２３をオンにすると、発光子２２が点灯し、又は点滅するようになり、なお、前記発光子２２の近傍には前記導光ストリップ３０が設けられている。
【図面の簡単な説明】
【００２２】
【図１】本考案の実施例１に係る発光機能付き帽子の分解斜視図である。
【図２】本考案の実施例１に係る発光機能付き帽子の組合状態の斜視図である。
【図３】本考案の実施例１に係る発光機能付き帽子の底から見た斜視図である。
【図４】本考案の実施例１に係る発光機能付き帽子の透視図である。
【図５】本考案の実施例２に係る発光機能付き帽子の組合状態の斜視図である。
【図６】本考案の実施例３に係る発光機能付き帽子の組合状態の斜視図である。
【図７】本考案の電子回路図である。
【符号の説明】
【００２３】
１０    本体
１１    帽子ツバ
１２    収容空間
１３    開口
１４    仕切板
１５    遮り空間
１６    調整バンド
２０    電子回路部材
２１    回路板
２２    発光子
２３    スイッチ
２４    電池
２５    電線
３０    導光ストリップ
３１    剖開溝
４０    透光ストリップ
４１    貫通孔
５０    覆い構造
５１    第一タッチファスナー
５２    第二タッチファスナー
２１１  集積回路
【図１】
0003148723.tif 000003
【図２】
0003148723.tif 000004
【図３】
0003148723.tif 000005
【図４】
0003148723.tif 000006
【図５】
0003148723.tif 000007
【図６】
0003148723.tif 000008
【図７】
0003148723.tif 000009